【事件の表示】
　平成　４年特許願第１５３３５７号「現像装置におけるトナー濃度検出装置の駆動方法」拒絶査定に対する審判事件〔平成　５年１２月２４日出願公開、特開平　５−３４１６５３、請求項の数（１）〕について、次のとおり審決する。
【結　論】
　原査定を取り消す。
　本願の発明は、特許すべきものとする。
【理　由】
１．手続の経緯・本願発明の要旨
　本願は、平成４年６月１２日の出願であって、
その請求項１に係る発明は、平成１２年８月１１日付け手続補正書によって補正された明細書の記載からみて、その特許請求の範囲の請求項１に記載された次のとおりのものと認められる。
「【請求項１】トナーと磁性体キャリアとを一定の割合で混合した現像剤を一時的に収容する容器と、該容器内に設けられ前記容器内に収容された現像剤の透磁率を検出する透磁率センサーと、前記容器の現像剤排出口に設けられ前記容器内の現像剤を排出する回転ロールとを備えたトナー濃度検出装置を、現像装置内に設けた電子写真装置におけるトナー濃度検出装置の駆動方法において、電子写真装置の動作停止後、前記容器内の現像剤を全て排出するまでの間、前記回転ロールの駆動を継続させることを特徴とする電子写真装置におけるトナー濃度検出装置の駆動方法。」
２．原査定の拒絶の理由の概要
　これに対して、原査定の拒絶の理由は、審査前置の報告と追加引用文献をふまえて総括すると、本願の請求項１に係る発明（以下、「本願発明」という。）は、
特開平３−２６７９６７号公報（以下、「引用文献３」という。）に記載された公知の電子写真装置におけるトナー濃度検出装置の駆動方法に、
特開平３−２９９８２号公報（以下、「引用文献４」という。）、
実願昭６１−２３２７６（実開昭６２−１３７４５４号）のマイクロフィルム（以下、「引用文献５」という。）、
特開平６１−３９０６１号公報（以下、「引用文献１」という。）、
特開平２−１４１７７９号公報（以下、「引用文献２」という。）、
に記載される周知のトナー排出回転ロールを単に組み合わせたものに過ぎず、効果も予測される範囲のものであるから、当業者が各引例記載のものから容易に発明をすることができたものであり、特許法２９条第２項の規定により特許を受けることができない、
というものである。
３．引用文献の記載事項
（３−１）引用文献１（発明の名称「現像装置の現像液交換方法」）
ａ．電子写真装置の現像装置から、長期間使用で劣化した現像剤（トナーと磁性体キャリアからなる）を回収するにあたり、現像装置ハウジング内壁に設けられたトナー濃度センサで回収の終了を検知したら、搬送スクリュー等の回収搬送系を停止することが、記載されている。
ｂ．現像剤を一時的に収容する検出容器と、該容器内で現像剤の特性を検出するセンサーとを備えて、現像装置内部に設置される形態のトナー濃度検出装置や、その駆動方法に関しては何ら記載されていない。
（３−２）引用文献２（発明の名称「現像装置の現像剤抜取り装置」）
ｃ．電子写真装置の現像装置から、長期間使用で劣化した現像剤（トナーと磁性体キャリアからなる）を回収するにあたり、現像装置ハウジング内壁に設けられたトナー濃度センサ（透磁率センサ）で回収の終了を検知したら、回転パドル等の回収搬送系を停止することが、記載されている。
ｄ．現像剤を一時的に収容する検出容器と、該容器内で現像剤の特性を検出するセンサーとを備えて、現像装置内部に設置される形態のトナー濃度検出装置や、その駆動方法に関しては何ら記載されていない。
　なお、実施例欄では、現像装置をとりまく電子写真装置の全体構成について説明があり、複写中、現像装置の上のトナーホッパーからトナー補給ローラを介してトナーが現像装置に補給される旨略記されているが、該ローラの構造等については記載がない。
（３−３）引用文献３（発明の名称「現像剤濃度制御装置」）
ｅ．特許請求の範囲「１．キャリアとトナーから構成される現像剤を収納する現像容器と
トナーを現像容器へ補給するトナー補給手段と
前記現像容器中の現像剤を記録体の電気潜像面と搬送する手段と
現像剤の一部を検出容器内に投入する手段と
該検出容器内で現像剤中のキャリアとトナーの混合比を計測する計測手段と
前記トナー補給手段から現像容器へのトナー補給を制御する制御回路において、
検出容器外壁部材を開閉可能とする機構を設けたことを特徴とする現像剤濃度制御装置。」
ｆ．第２頁右上欄第１４行〜同頁左下欄第８行「この様な現像剤濃度制御装置においては検出容器１１内の検出素子１２周りを現像剤が常に均一に流動しなければならない。
〔発明が解決しようとする課題〕現像剤濃度制御装置において、上記従来技術では、運転停止後に検出容器内に現像剤が充満しているので、衝撃や振動或は現像剤の自重により圧縮され、検出容器出口付近で現像剤の詰まり現象が生じやすくなっているという問題があった。本発明の目的は、現像剤濃度制御装置運転停止後、現像剤が検出容器内から確実に排出される構造とすることで、上記問題点を解決して、衝撃や振動或は現像剤の自重に対して詰まり現象の発生を防止する現像剤濃度制御装置を提供することにある。」
ｇ．「検出容器１１出口の開閉板１１ａを開閉用モータ２０の回転軸に取付けられた開閉レバー２１に接続されており、開閉用モータ２０の回転にあわせて開閉板１１ａが任意に開閉可能である。現像剤濃度制御装置運転時、前記開閉板１１ａは第３図の如く閉じている。その状態において検出容器１１内の検出素子１２周りを均一に現像剤５が流動できる程度の穴が空いている。この流動している現像剤濃度を検出し、電圧変換回路１６に濃淡情報が送られ設定濃度の現像剤濃度を制御する。
　現像剤濃度制御装置停止時は逆に開閉板１１ａは第４図の如く解放する。この状態においては検出容器１１内の現像剤はほぼ全て現像剤の自重によって攪拌器６，７上に落下し、検出容器１１内は空になる。
　現像剤濃度制御装置運転時と停止時に前記のような開閉板１１ａの操作を行なうことにより、衝撃や振動或は現像剤の自重に対して検出容器１１内の現像剤の詰まり現象を防止できる効果がある。」
（３−４）引用文献４（発明の名称「電子写真装置」）
ｈ．特許請求の範囲「（１）トナーホッパーの底面にトナー排出口を設け、前記トナー排出口を塞ぐとともに回転することによって前記トナーのホッパー内のトナーを排出するトナー排出ローラを前記ホッパー内に収納し、前記トナー排出ローラの回転にともなって前記トナーホッパーよりトナーの供給を受けるとともに感光体にトナーを与える現像手段と、前記現像手段内のトナーの量を測定するトナー濃度センサを備え、
前記トナーホッパー内のトナーが切れた事が検出されると前記トナー排出ローラの回転速度をそれまでの回転速度より大きくする制御装置を設けたことを特徴とする電子写真装置。…」
ｉ．第４頁右下欄第１〜１１行「発明の効果　以上のように本発明は、トナー排出口を有するトナーホッパーの底面にトナー排出ローラを収納し、現像手段内のトナーの量を測定するトナー濃度センサを備え、トナーホッパー内のトナーが所定量以下になるとトナー排出ローラの回転速度をそれまでの回転速度より大きな回転速度で回転させる制御装置を設けたため、トナーの攪はん部材の駆動エネルギーを大きくすることなくトナーホッパー内のを有効に使うことができ、トナーの無駄がなくなる。」
ｊ．図面には、「現像手段内のトナーの量を測定するトナー濃度センサ」として、現像ローラ（現像手段）の近傍の現像装置ハウジング内壁に設けられたセンサが示されている。
　なお、明細書及び図面には、現像剤を一時的に収容する検出容器と、該容器内で現像剤の特性を検出するセンサーとを備えて、現像装置内部に設置される形態のトナー濃度検出装置や、その駆動方法に関しては何らの記載もない。
（３−５）引用文献５（考案の名称「トナー供給装置」）
ｋ．実用新案登録請求の範囲「１　現像装置の上方に配設されたトナーホッパーと、
該トナーホッパーの下部に２段に設けられた供給ローラおよび排出ローラと、
該供給ローラと排出ローラとの間隙により形成されるトナー滞留室と、を具備し、
ホッパー内のトナーが該供給ローラにより下方の該トナー滞留室へ供給され、
該滞留室のトナーの所定量が下方の該排出ローラによりホッパー下端の排出口より該現像装置へ投入されるトナー供給装置。」
ｌ．第２頁第１行〜第４頁第７行「（産業上の利用分野）　本考案は、たとえば電子写真複写機の現像装置へトナーを、常時所定量ずつ供給し得るトナー供給装置に関する。
（従来の技術）　…従来のトナー供給装置は，ホッパーが現像装置の上方に配設され、そのホッパーの下部に設けられた単一のローラにより、トナーを順次、現像装置へ供給する構成になっていた。しかし、このような装置では、ホッパー内のトナーが減少すると、ローラに加わる負荷が軽減されるため、該ローラによりホッパー下方から現像装置へ繰り出されるトナーの量が減少する。それゆえ、常時、一定量のトナーを現像装置へ供給することができない、またトナー濃度を磁気センサなどによって検知して、トナー濃度が所定の値よりも低くなると、トナーを供給する装置が使用されているが、攪拌状態が常に均一にならず、さらに機構が大がかりとなるため、小型複写機に通さないばかりか、経済的にも好ましくない。
（考案が解決しようとする問題点）　本考案は、上記従来の問題を解決するものであり，その目的は，簡潔な構造であり、ホッパー内のトナー量に拘わらず、所定量のトナーを現像装置へ供給し得るトナー供給装置を提供することにある。
（問題点を解決するための手段）　本考案のトナー供給装置は、現像装置の上方に配設されたトナーホッパ−と、該ホッパーの下部に二段に設けられた供給ローラおよび排出ローラと、該供給ローラと排出ローラとの間隙により形成されるトナー滞留室と、を具備し、ホッパー内のトナーが該供給ローラにより下方の該トナー滞留室へ供給され、該滞留室内のトナーの所定量が下方の該排出ローラによりホッパー下端の排出口より該現像装置へ投入されるようにしてあり、そのことにより上記目的が達成される。」
４．対比・判断
　本願発明と、引用文献３の記載の発明とを対比すると、後者の「検出容器」、「検出素子」、「現像剤中のキャリアとトナーの混合比を計測する計測手段」は、それぞれ、前者の「現像剤を一時的に収容する容器」、「現像剤の透磁率を検出する透磁率センサー」、「トナー濃度検出装置」に相当し、また、後者の「装置の運転停止後、検出容器の外壁部材を開放して、該容器内のほぼ全ての現像剤を自重により落下させる」操作は、前者の「電子写真装置の動作停止後、現像剤を一時的に収容する容器中の現像剤を全て排出する」操作に相当するから、両者は、「トナーと磁性体キャリアとを一定の割合で混合した現像剤を一時的に収容する容器と、該容器内に設けられ前記容器内に収容された現像剤の透磁率を検出する透磁率センサーとを備えたトナー濃度検出装置を、現像装置内に設けた電子写真装置におけるトナー濃度検出装置の駆動方法において、電子写真装置の動作停止後、前記容器内の現像剤を全て排出する、電子写真装置におけるトナー濃度検出装置の駆動方法。」である点で一致し、
現像剤を一時的に収容する容器の排出口に設けられ該容器中の現像剤を排出する部材が、
前者では回転ロールであるのに対して、後者では穴が空いた開閉可能な外壁部材である点、そして、
電子写真装置の動作停止後、容器内の現像剤を全て排除するための駆動方法について、前者では、回転ロールの駆動を電子写真装置の動作停止後、一定期間継続させているのに対して、後者では外壁部材の穴から排出するとともに、電子写真装置の動作停止後、開閉可能な外壁部材を開放している点で相違している。（前掲ｅ〜ｇ参照）
　相違点について検討する。
　引用文献４や引用文献５に記載された回転ロールは、いずれもトナーホッパーの排出口に設けられたものであり、トナーホッパーはトナーと磁性体キャリアとを一定割合で混合した現像剤を一時的に収容する容器ではない。（前掲ｈ〜ｌ参照）
　引用文献１や引用文献２には、搬送スクリューや回転パドルは記載されているが、回転ロールについては具体的に記載されていないし、そもそも搬送スクリューや回転パドルは現像装置の排出口に設けられたものであって、現像装置内部に設置される現像剤一時収容容器の排出口に設けられたものではない。（前掲ａ〜ｄ参照）
  また、引用文献１、２、４、５のいずれにも、電子写真装置の動作停止後も、一定期間継続して回転ロール、搬送スクリュー、回転パドルを駆動する点について、記載されていないし、示唆もされていない。（前掲ｂ、ｄ、ｊ、ｌ参照）
  してみると、引用文献記載のものから、現像剤一時収容容器の現像剤排出部材を回転ロールとしたり、電子写真装置停止後の一定期間、回転ロールを継続駆動する、相違点に係る構成を導き出すことはできない。
　一方、本願発明は、上記相違点に係る構成を有することにより、明細書第５〜１２段落（発明の解決課題欄〜発明の効果欄）記載のように、「電子写真装置の動作停止が長期間に及んだ場合でも現像剤が固化することがない」との直接的な作用効果のみならず、現像剤の積極的な流出入により「常に透磁率の真髄を検出し、正常なトナー濃度の制御を行なう」ことができる等の副次的な効果や、コンパクトな装置構成など、引用文献から予測されない顕著な効果を奏するものである。
５．むすび
  したがって、本願請求項１に係る発明は、各引用文献に記載された発明に基づいて当業者が容易に発明をすることができたものとすることはできない。
　また、本願請求項１に係る発明について、他に本願を拒絶すべき理由を発見しない。
　よって、結論のとおり審決する。